(57)【要約】  本発明は、移動体通信装置が位置する移動体通信ネットワークに従ってテレビジョン標準規格を自動的に選択するように動作可能な移動体通信装置を開示する。テレビジョン標準規格が異なればそれぞれについて特定の復調が必要とされるので、適切な画像及び映像を受信するためには、例えばＰＡＬ又はＮＴＳＣのような正しいテレビジョン標準規格を選択することが不可欠である。この目的は、無線通信システムにおける無線通信に適合した移動体通信装置であって、テレビジョン標準規格を判定するように動作可能な分析デバイスを備え、前記分析デバイスは、国特有のデータを自動的に判定するように動作可能な判定デバイスと、前記国特有のデータを特定のテレビジョン標準規格へとマッピングするように動作可能なマッピングデバイスと、を備えることを特徴とする移動体通信装置によって解決される。
2009530927.tif 000002
【特許請求の範囲】
【請求項１】
無線通信システムにおける無線通信に適合した移動体通信装置（１）であって、
テレビジョン標準規格を判定するように動作可能な分析デバイス（１１）を備え、
前記分析デバイス（１１）は、
国特有のデータを自動的に判定するように動作可能な判定デバイス（１３）と、
前記国特有のデータを特定のテレビジョン標準規格へとマッピングするように動作可能なマッピングデバイス（１４）と、
を備えることを特徴とする移動体通信装置（１）。
【請求項２】
前記判定デバイス（１３）は、ユーザ識別デバイス（１１１）を介して前記国特有のデータを判定することを特徴とする請求項１に記載の移動体通信装置（１）。
【請求項３】
前記ユーザ識別デバイス（１１１）は、国特有のデータを格納するように動作可能なＩＤメモリデバイスを含むことを特徴とする請求項２に記載の移動体通信装置（１）。
【請求項４】
前記判定デバイス（１３）は、前記無線通信システムを介して受信した情報から前記国特有のデータを判定することを特徴とする請求項１乃至３のいずれか１項に記載の移動体通信装置（１）。
【請求項５】
前記判定デバイス（１３）は、前記国特有のデータを基地局から受信するように動作可能な情報受信デバイス（１１２）を含むことを特徴とする請求項４に記載の移動体通信装置（１）。
【請求項６】
前記判定デバイス（１３）は、前記無線通信システムに関する国特有の性質から前記国特有のデータを判定することを特徴とする請求項１乃至５のいずれか１項に記載の移動体通信装置（１）。
【請求項７】
前記判定デバイス（１３）は、周波数判定を用いて前記国特有の性質を判定するように動作可能な周波数フィルタデバイス（１１３）を含むことを特徴とする請求項６に記載の移動体通信装置（１）。
【請求項８】
ユーザが前記国特有のデータを入力するように動作可能なユーザ入力デバイス（１２）を備えることを特徴とする請求項１乃至７のいずれか１項に記載の移動体通信装置（１）。
【請求項９】
前記判定されたテレビジョン標準規格に従ってテレビジョン信号をビデオ信号に変換するように動作可能なテレビジョン信号変換デバイス（３）を備えることを特徴とする請求項１乃至８のいずれか１項に記載の移動体通信装置（１）。
【請求項１０】
前記テレビジョン信号変換デバイス（３）は、ＰＡＬ、ＮＴＳＣ、及びＳＥＣＡＭのテレビジョン標準規格を処理するように動作可能であることを特徴とする請求項９に記載の移動体通信装置（１）。
【請求項１１】
テレビジョン信号を受信するように動作可能なテレビジョン信号受信デバイス（２）を備えることを特徴とする請求項９又は１０に記載の移動体通信装置（１）。
【請求項１２】
前記テレビジョン信号受信デバイス（２）は、テレビジョン信号を前記テレビジョン信号変換デバイス（３）に提供するように動作可能なストレージデバイス（２１）を含むことを特徴とする請求項１１に記載の移動体通信装置（１）。
【請求項１３】
ビデオ信号を出力するように動作可能なビデオ信号出力デバイス（４）を備えることを特徴とする請求項９乃至１２のいずれか１項に記載の移動体通信装置（１）。
【発明の詳細な説明】
【技術分野】
【０００１】
本発明は、ＴＶ（テレビジョン）標準規格の選択プロセスの分野に関し、特に、移動体通信及び／又は(and/or)そのデバイス（移動体通信及びそのデバイスのうちの少なくとも一方）を用いてＴＶ標準規格を自動的に選択することに関する。
【背景技術】
【０００２】
世界中の様々な国で様々なＴＶ標準規格が使用されている。北アメリカと、南アメリカの一部とは、ＮＴＳＣ（Ｎａｔｉｏｎａｌ  Ｔｅｌｅｖｉｓｉｏｎ  Ｓｙｓｔｅｍ  Ｃｏｍｍｉｔｅｅ）と呼ばれるＴＶ標準規格を使用している一方で、ヨーロッパと、アジアと、アフリカの一部とは、主としてＰＡＬ（Ｐｈａｓｅ  Ａｌｔｅｒｎａｔｉｎｇ  Ｌｉｎｅ）に関わりがあり、ロシアと、フランスと、アフリカの一部とは、ＳＥＣＡＭ（Ｓｅｑｕｅｎｔｉａｌ  ｃｏｕｌｅｕｒ  ａｖｅｃ  ｍｅｍｏｉｒｅ）に関わりがある。これらのＴＶ標準規格はいずれも従前の白黒ＴＶ放送と互換性があるが、カラー画像及び映像を生成することに関してそれぞれが異なる性質及び伝送特性をベースとしている。
【０００３】
出力デバイスのために妥当で適切なビデオ信号を受信するためには、ＴＶ信号を復調してＲＧＢ（赤緑青）のようなビデオ信号にするために正しいＴＶ標準規格を使用しなければならない。さもなければ、出力デバイスはビデオ信号を解釈することができない。
【０００４】
それゆえ、正しいＴＶ標準規格を選択しなければならない。従来の技術は、電話機内での設定によってＴＶ標準規格をユーザに手作業で選択させるものであった。この電話機は出力デバイスに接続され、当該出力デバイス上にグラフィックを表示するためにビデオ信号を生成するように動作可能である。
【０００５】
しかし、従来の技術では解決不可能であったり実装することさえも不可能であったりする課題が存在する。
【０００６】
手作業での設定は常に、入力ミスがユーザによってなされる可能性を伴うものである。ユーザはどのＴＶ標準規格を選択すべきかを常に知っているとは限らないので、正しくない設定を行う可能性もある。
【発明の開示】
【課題を解決するための手段】
【０００７】
ある国のＴＶ標準規格を自動的に決定するように動作可能な装置を提供することが本発明の目的である。
【０００８】
本発明の他の目的は、ＴＶ標準規格を設定する際にユーザをサポートすることである。
【０００９】
本発明の他の目的は、ほとんどの人がＴＶ標準規格について何も知らないので、ＴＶデバイスの設定を簡単化することである。
【００１０】
本発明の他の目的は、移動体通信装置を用いてＴＶ標準規格を決定することを可能にすることである。
【００１１】
これらの目的は、移動体通信装置ベースのテレビジョン標準規格の選択装置によって解決される。無線通信システムにおける無線通信に適合した当該移動体通信装置は、テレビジョン標準規格を判定するように動作可能な分析デバイスを備え、前記分析デバイスは、国特有のデータを自動的に判定するように動作可能な判定デバイスと、前記国特有のデータを特定のテレビジョン標準規格へとマッピングするように動作可能なマッピングデバイスと、を備える。
【００１２】
好適には、前記判定デバイスは、ユーザ識別デバイスを介して前記国特有のデータを判定する。
【００１３】
好適には、前記ユーザ識別デバイスは、国特有のデータを格納するように動作可能なＩＤメモリデバイスを含む。
【００１４】
好適には、前記判定デバイスは、前記無線通信システムを介して受信した情報から前記国特有のデータを判定する。
【００１５】
好適には、前記判定デバイスは、前記国特有のデータを基地局から受信するように動作可能な情報受信デバイスを含む。
【００１６】
好適には、前記判定デバイスは、前記無線通信システムに関する国特有の性質から前記国特有のデータを判定する。
【００１７】
好適には、前記判定デバイスは、周波数判定を用いて前記国特有の性質を判定するように動作可能な周波数フィルタデバイスを含む。
【００１８】
好適には、前記移動体通信装置は、ユーザが前記国特有のデータを入力するように動作可能なユーザ入力デバイスを備える。
【００１９】
好適には、前記移動体通信装置は、前記判定されたテレビジョン標準規格に従ってテレビジョン信号をビデオ信号に変換するように動作可能なテレビジョン信号変換デバイスを備える。
【００２０】
好適には、前記テレビジョン信号変換デバイスは、ＰＡＬ、ＮＴＳＣ、及びＳＥＣＡＭのテレビジョン標準規格を処理するように動作可能である。
【００２１】
好適には、前記移動体通信装置は、テレビジョン信号を受信するように動作可能なテレビジョン信号受信デバイスを備える。
【００２２】
好適には、前記テレビジョン信号受信デバイスは、テレビジョン信号を前記テレビジョン信号変換デバイスに提供するように動作可能なストレージデバイスを含む。
【００２３】
好適には、前記移動体通信装置は、ビデオ信号を出力するように動作可能なビデオ信号出力デバイスを備える。
【００２４】
本発明に関する上の目的、特徴、及び利点などは、添付の図面と共に以下の詳細な説明から一層明らかになるであろう。
【発明を実施するための最良の形態】
【００２５】
図１は、ＴＶ信号に基づいてビデオ信号を出力するように動作可能な移動体通信装置１の例の概略図を示す。移動体通信装置１では、分析デバイス１１によってＴＶ標準規格が決定されるか、或いはユーザ入力デバイス１２を介してユーザによってＴＶ標準規格が選択される。当該デバイス１１及び１２は、移動体通信装置１の一部である。ＴＶ信号によって送信された画像及び又は映像を正しく表示するために、当該ＴＶ信号に応じて、特定のＴＶ標準規格の復調を実行しなければならない。ここで、当該ＴＶ標準規格は、国ごと及び／又は地域ごとに異なるものである。移動体通信装置という用語は、ポータブル無線通信装置を含む。ポータブル無線通信装置という用語は、以下では移動体無線端末と呼ばれ、例えば、移動電話、ページャ、コミュニケータ即ち電子手帳、スマートフォンなどといった全ての装置を含む。移動体装置は、無線通信システム内で通信するように構成され、全ての必要なエレメントを有するが、明瞭化するために図示しないし説明しない。
【００２６】
移動体通信装置１自体が、ＴＶ信号受信デバイス２と、ＴＶ信号変換デバイス３と、ビデオ信号出力デバイス４と、選択デバイス９９とを備える。他の複数の例、即ち、移動体通信装置１が当該ＴＶ信号変換デバイス３を備えたり、或いは当該ＴＶ信号受信デバイス２と当該ＴＶ信号変換デバイス３とを備えたり、或いは当該ＴＶ信号変換デバイス３とビデオ信号出力デバイス４とを備えたりすることも可能であるが、明瞭化するために図示しない。他の複数の例、即ち、当該デバイス２から４が全て移動体通信装置１の一部という訳ではないという例において、これらのデバイスは当該装置１から分離したデバイス内に設置されるが、それでも後述するものと同じ動作可能性を有する。
【００２７】
更に、選択デバイス９９はユーザ入力デバイス１２と分析デバイス１１とを備え、ここで、当該分析デバイス１１は本発明の実施形態を含む。
【００２８】
ＴＶ信号受信デバイス２は、ＴＶ信号を受信するように動作可能である。ＴＶ信号の受信は、無線通信システムを介して実行されてもよい。ＴＶ信号受信デバイス２のように動作可能な他の補助デバイスであって、無線通信の代わりにケーブル或いは当業者に知られている他の何らかの手段を用いる補助デバイスも可能である。結局のところ、ＴＶ信号受信デバイス２は、ＴＶ信号変換デバイス３に対してＴＶ信号を提供するように動作可能である。他の例では、受信デバイス２は、当業者に知られている移動通信デバイスのアンテナと同一であって、移動体通信のためのセルラネットワークに接続するように動作可能であり、及び／又はＴＶ信号のデータを受信するように動作可能である。他の例では、ＴＶ信号受信デバイス２は、ストレージデバイス２１を備える。当該ストレージデバイス２１は、変調されていないフォーマットでＴＶ信号を格納し、ＴＶ信号変換デバイス３に対して当該信号を送信するように動作可能である。ストレージデバイス２１は例えば、ＴＶ信号を格納するためのビデオテープ又はメモリチップに記録するビデオレコーダであるが、これらの手段に限定されない。
【００２９】
ビデオ信号出力デバイス４は、以下で説明するビデオ信号とも呼ばれる復調された／変換された信号をＴＶ信号変換デバイス３から受信し、当該信号を出力するように動作可能である。ビデオ信号出力デバイス４は例えば、ＣＲＴ（カソード・レイ・チューブ）  ＴＶ、ＬＣＤ（液晶表示）  ＴＶ、プラズマＴＶ、プロジェクタ、或いは当該信号を出力するための当業者に知られている他の何らかの手段である。
【００３０】
選択デバイス９９は、ある国のＴＶ標準規格を選択して判定するように動作可能であり、その国の判定されたＴＶ標準規格に従ってＴＶ信号変換デバイス３の復調／変換を変更する。ユーザ入力デバイス１２は、国或いは国特有のデータを決定する入力をユーザから受信するように動作可能である。当該国特有のデータは例えば、場所を示す座標、移動体通信のために使用される周波数、ＴＶ標準規格そのもの、及び当業者に知られている他の特徴を含む。
【００３１】
分析デバイス１１は、移動体装置が現在位置する国に関する情報或いはそこで個別に使用されているＴＶ標準規格を含んだ、受信又は検出された国データから、自動的にその国を判定して最終的にその国のＴＶ標準規格を判定するように動作可能である。それにも関わらず必要であれば、ユーザ入力デバイス１２を介して、ユーザはその自動判定をオーバーライドしてＴＶ標準規格を手作業で設定することができる。当該分析デバイス１１は、マッピングデバイス１４と判定デバイス１３とを備える。判定デバイス１３は、以下に説明する様々なデバイス及び又は手段によって国或いは国特有のデータを判定するように動作可能である。マッピングデバイス１４は、データを特定のＴＶ標準規格へとリンクさせる。特定のＴＶ標準規格とは例えば、ＳＥＣＡＭ（Ｓｅｑｕｅｎｔｉａｌ  ｃｏｕｌｅｕｒ  ａｖｅｃ  ｍｅｍｏｉｒｅ）、ＰＡＬ（Ｐｈａｓｅ  Ａｌｔｅｒｎａｔｉｎｇ  Ｌｉｎｅ）、及びＮＴＳＣ（Ｎａｔｉｏｎａｌ  Ｔｅｌｅｖｉｓｉｏｎ  Ｓｙｓｔｅｍ  Ｃｏｍｍｉｔｅｅ）などであって、当該データは判定デバイス１３又はユーザ入力デバイス１２から送信される。マッピングデバイス１４は、全ての国、国特有のデータ、及びそれら個別のＴＶ標準規格を格納する不揮発メモリデバイス（不図示）を備えるが、マッピングデバイス１４はこの例に限られない。判定デバイス１３は、ユーザ識別デバイス１１１及び／又は情報受信デバイス１１２及び／又は周波数フィルタデバイス１１３を備える。これらのデバイス１１１から１１３のそれぞれは、国又は国特有のデータを判定するように動作可能である。
【００３２】
ユーザ識別デバイス１１１は、国特有のデータを格納するように動作可能であり、例えばＩＤメモリカード、ＳＩＭ（加入者識別モジュール）カード、或いは移動体ネットワークにおいて移動電話をアクティベート及び／又は識別するように動作可能な他の何らかのカードを備える。このユーザ識別デバイス１１１は、ＳＩＭカードが移動電話に挿入される要領で判定デバイス１３に挿入可能である。ユーザ識別デバイス１１１は、出身国に関する情報及び又は他の有用な国特有のデータを格納しており、これが国を判定する手助けをする。
【００３３】
情報受信デバイス１１２は、例えば基地局（不図示）に問い合わせることによって無線通信システムを介して情報を受信するように動作可能である。当該基地局は、移動体通信を提供して電話ネットワークに接続するように動作可能であり、現在位置、及び／又は現在の国の名前、及び／又はＴＶ標準技術そのもの、のような、或いはそれらに関する、データを要求する。基地局がウェルカムパッケージ又は当業者に知られているようなある種のｐｉｎｇを送信している場合、情報受信デバイス１１２は、これらの通信信号を受信して国特有のデータをフィルタ抽出するように動作可能である。
【００３４】
周波数フィルタデバイス１１３は、移動体通信のために使用されている周波数を測定して分析し、最終的にそれらの周波数をマッピングデバイス１４に提供するように動作可能である。これらの周波数は多くの国及び／又は地域において相互に異なるため、これらの結果に基づいて、現在の国及び／又は地域が個別に判定される。例えば、情報受信デバイス１１２が移動体通信ネットワークに関する情報を受信したいという要求を基地局に対して送信している時に、基地局は、正しい周波数が情報受信デバイス１１２によって使用された場合にのみ応答するであろう。それゆえ、どの周波数が使用されているかを知れば、マッピングデバイス１４によって国及び／又は地域を判定することができる。もちろん、周波数フィルタデバイス１１３は、情報受信デバイス１１２に依存しなくても、基地局の周波数を認識するようにも動作可能である。当該基地局は、ウェルカムパッケージ又は当業者に知られているようなある種のｐｉｎｇを送信している。
【００３５】
ＴＶ信号変換デバイス３は、ＴＶ信号受信デバイス２から送信されたＰＡＬ、ＳＥＣＡＭ、及びＮＴＳＣのような様々なＴＶ標準規格からのＴＶ信号を、ビデオ信号に変換するように動作可能である。ビデオ信号出力デバイス４は、このビデオ信号を適切に処理することができる。当該ビデオ信号は、ＲＧＢ（赤緑青）、ＳＣＡＲＴ（Ｓｙｎｄｉｃａｔ  ｄｅｓ  Ｃｏｎｓｔｒｕｃｔｅｕｒｓ  ｄ’Ａｐｐａｒｅｉｌｓ  Ｒａｄｉｏｒｅｃｅｐｔｅｕｒｓ  ｅｔ  Ｔｅｌｅｖｉｓｅｕｒｓ）、或いはＹＵＶ（Ｙは輝度成分（ブライトネス）を表し、Ｕ及びＶはクロミナンス（色）成分である）による接続に適した全ての信号を含み、当該信号は国及び／又は地域の標準に依存しない。
【００３６】
他の実施形態も可能であり、ここでは、判定デバイス１３は少なくとも１つの上述したデバイスを含んだり、或いは、他のＴＶ標準規格及び／又はビデオ信号が処理されたりする。
【００３７】
図２は、移動電話７１とビデオ信号出力デバイス４２とのケーブル７０を介した構成例を示す。当該移動電話７１は、図１で説明した前記移動体通信装置を含み、当該移動体通信装置は、ＴＶ信号受信デバイス２２と、ＴＶ信号変換デバイス３２と、選択デバイス１０２とを含む。全てのデバイスは図１で説明したものと同一である。
【００３８】
移動電話７１は、従来の固定回線電話と同じ基本機能を持つ電子通信デバイスであるが、完全に可搬（ポータブル）であり、ワイヤで電話ネットワークに接続される必要はない。移動電話７１は、無線電波伝送技術を使用してネットワークに接続するように動作可能である。移動電話７１は、従来の電話ネットワークへとリンクされた基地局（不図示）のセルラネットワークを介して通信を行う。この例では、移動電話は、ＴＶ信号を受信してこれを適切なビデオ信号へと変換するように動作可能である。
【００３９】
ケーブル７０は、移動電話７１、特に移動電話７１内のＴＶ信号変換デバイス３２を、ビデオ信号出力デバイス４２と接続させるように動作可能である。
【００４０】
この例では、ビデオ信号出力デバイス４２は、ＲＧＢ、ＳＣＡＲＴ、及び／又はＹＵＶによる接続を使用する従来のテレビジョンであり、ＲＧＢ、ＳＣＡＲＴ、又はＹＵＶのケーブル、或いは当業者に知られている他の何らかの手段を介して接続可能である。ケーブル７０は、ＣＶＢＳ（Ｃｏｌｏｕｒ  Ｖｉｄｅｏ  Ｂａｓｅｂａｎｄ  Ｓｉｇｎａｌ）或いはＳ−Ｖｉｄｅｏである可能性が最も高い。
【００４１】
デバイス１０２及び３２は、移動電話７１のハウジング内に存在し、好適には、プリント基板上の集積回路内に存在するので、移動電話７１内でのそれらの位置は変化し得るものであり、明示しない。
【００４２】
図３は、移動電話９１の例を示し、当該移動電話９１は図１で説明した前記移動体通信装置を備え、当該移動体通信装置はビデオ信号出力デバイス４１と、ＴＶ信号受信デバイス２２と、ＴＶ信号変換デバイス３２と、選択デバイス１０２とを含む。全てのデバイスは図１で説明したものと同一である。
【００４３】
移動電話９１は、図２で説明したものと同じであり、更に、ＴＶ信号を受信して出力する能力を有する。この例において、当該ＴＶ信号受信デバイス２２は、ＴＶ信号を受信するようにも動作可能であるし、移動通信を送信するようにも動作可能である。当業者に知られているように、様々な種類の無線電波の送信及び受信のための独立した複数の受信デバイスが存在する場合もあるかもしれない。デバイス４１はＴＶ信号を出力することに限定されず、移動電話９１と、当業者に知られているその処理と、に関するデータを表示することもできる。
【００４４】
デバイス１０２及び３２は、移動電話９１のハウジング内に存在し、好適には、プリント基板上の集積回路内に存在するので、移動電話９１内でのそれらの位置は変化し得るものであり、明示しない。
【００４５】
図４は、ＴＶデバイス８０の例を示す。当該ＴＶデバイス８０は図１で説明した前記移動体通信装置を備え、当該移動体通信装置はビデオ信号出力デバイス４１と、ＴＶ信号受信デバイス２２と、ＴＶ信号変換デバイス３２と、分析デバイス１０２とを含む。全てのデバイスは図１で説明したものと同一である。
【００４６】
ＴＶデバイス８０は、距離を隔てて動画及びサウンドを受信するように動作可能である。この例において、当該デバイス２２は、ＴＶ信号を受信するようにも動作可能であるし、移動通信を送信するようにも動作可能である。当業者に知られているように、様々な種類の無線受信のための独立した複数の受信デバイスが存在する場合もあるかもしれない。
【００４７】
デバイス１０２及び３２は、ＴＶデバイス８０のハウジング内に存在し、好適には、プリント基板上の集積回路内に存在するので、ＴＶデバイス８０内でのそれらの位置は変化し得るものであり、指摘されている位置に限定されるものではない。このＴＶデバイス８０を用いれば、ユーザが適切なＴＶ標準規格を選択しなくても構わない。
【００４８】
図５は、ＴＶ標準規格を選択するフローチャートの例を示す。当該フローチャートはステップ５０１から５１１を含む。
【００４９】
フローチャートはステップ５０１から開始し、ステップ５０２へと続く。「ユーザ入力？」というステップ５０２は、国又はＴＶ標準規格をユーザが手作業で設定したか否かを制御するように動作可能である。これらの値のうちの１つが設定された場合、処理はステップ５０９へと続く。そうでなければ、データが何も入力されなかったか或いは適切なデータが何も入力されなかったということを意味し、処理はステップ５０３へと進む。「ユーザＩＤ設定？」というステップ５０３は、ユーザ識別デバイスが接続されて現在の国及び／又は地域に関する適切なデータを取得可能であるか否かを制御するように動作可能である。国特有のこのデータを取得可能な場合、処理はステップ５０９へと続く。そうでなければ、処理はステップ５０４へと進む。「通信可能？」というステップ５０４は、利用可能な基地局との移動体通信が可能であるか否かを制御するように動作可能である。移動体通信周波数の受信が可能でない場合、処理はステップ５０７へと続く。当該受信が存在する場合、処理はステップ５０５へと続く。「メッセージ」というステップ５０７は、移動体通信のための電磁波の受信が可能ではないということをユーザに通知するように動作可能であり、いかなる国名も判定されず、処理は再起動する。そして、処理はステップ５０２へと折り返す。「情報受信？」というステップ５０５は、無線通信システムを介して情報が受信されたか、或いは基地局へと送信された問い合わせに回答があったかを制御するように動作可能である。ここで、当該情報或いは回答は、国名、或いは国名を判定するために関係のある他の何らかのデータ、或いはＴＶ標準規格を提供するものである。問い合わせに対して適切なデータでの回答があった場合や受信した情報が適切なデータであった場合は、処理はステップ５０９へと続く。そうでなければ、処理はステップ５０６へと進む。「周波数設定？」というステップ５０６は、移動体通信のための特定の周波数が判定されたか否かを制御するように動作可能であり、「応」の場合、国を判定することが可能である。それゆえ、これら特定の周波数を使用する国が判定された場合、処理はステップ５０９へと続く。そうでなければ、ステップ５０８へと続く。「メッセージ」というステップ５０８は、移動体通信周波数を取得可能であるにも関わらず国名や国特有のデータを判定できなかったということをユーザに通知するように動作可能である。それゆえ、処理はステップ５０２へと折り返す。「国／地域の名前が知られる」というステップ５０９は、国名又は国特有のデータが判定されたということをユーザに示すように動作可能である。もちろん、ＴＶ標準規格を判定するために利用可能な他の何らかのデータがユーザに対する通知のために出力されてもよい。例えばユーザ入力デバイス又は情報受信デバイスによってＴＶ標準規格が既に決定されていた場合、ＴＶ標準規格そのものが通知されてもよい。その後、処理はステップ５１０へと続く。「ＴＶ標準とのマッピング」というステップ５１０は、国名又は国特有のデータを図１でマッピングデバイス１４として説明した内部データベースにリンクさせることによって、その国のＴＶ標準規格を判定するように動作可能である。もちろん、例えば上述した周波数のように、国名以外の値が、名前を判定して最終的にその国のＴＶ標準規格を判定するために使用されてもよい。次に、処理はステップ５１１へと続く。「ＴＶ標準規格へと変換器を調整」というステップ５１１は、信号を前記ビデオ信号へと変換するために、図１で言及したＴＶ信号変換デバイス３を判定されたＴＶ標準規格に設定するように動作可能である。
【００５０】
このフローチャートは例に過ぎないので、ステップ５０２から５０６は、製造者及び／又はユーザがそうなるように望むようないかなる順序にも並べることもできる。また、このフローチャートは、いかなる場所でも停止可能であり、及び／又は所定の番号へと折り返すことができる。
【００５１】
図５で説明される全てのデバイスは図１で説明したものと同一である。
【図面の簡単な説明】
【００５２】
【図１】本発明の実施形態を含む移動体通信装置の例の概略図を示す。
【図２】本発明の実施形態を含む移動電話とＴＶデバイスとのケーブルを介した構成例を示す。
【図３】本発明の実施形態を含む移動電話の例を示す。
【図４】本発明の実施形態を含むＴＶデバイスの例を示す。
【図５】ＴＶ標準規格を選択するフローチャートの例を示す。
【図１】
2009530927.tif 000003
【図２】
2009530927.tif 000004
【図３】
2009530927.tif 000005
【図４】
2009530927.tif 000006
【図５】
2009530927.tif 000007
【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
無線通信システムにおける無線通信に適合した移動体通信装置（１）であって、
テレビジョン標準規格を判定するように動作可能な分析デバイス（１１）を備え、
前記分析デバイス（１１）は、
国特有のデータを自動的に判定するように動作可能な判定デバイス（１３）と、
前記国特有のデータを特定のテレビジョン標準規格へとマッピングするように動作可能なマッピングデバイス（１４）と、
を備え、
前記判定デバイス（１３）は、ユーザ識別デバイス（１１１）を介して前記国特有のデータを判定することを特徴とする移動体通信装置（１）。
【請求項２】
前記ユーザ識別デバイス（１１１）は、国特有のデータを格納するように動作可能なＩＤメモリデバイスを含むことを特徴とする請求項１に記載の移動体通信装置（１）。
【請求項３】
前記判定デバイス（１３）は、前記無線通信システムを介して受信した情報から前記国特有のデータを判定することを特徴とする請求項１又は２に記載の移動体通信装置（１）。
【請求項４】
前記判定デバイス（１３）は、前記国特有のデータを基地局から受信するように動作可能な情報受信デバイス（１１２）を含むことを特徴とする請求項３に記載の移動体通信装置（１）。
【請求項５】
前記判定デバイス（１３）は、前記無線通信システムに関する国特有の性質から前記国特有のデータを判定することを特徴とする請求項１乃至４のいずれか１項に記載の移動体通信装置（１）。
【請求項６】
前記判定デバイス（１３）は、周波数判定を用いて前記国特有の性質を判定するように動作可能な周波数フィルタデバイス（１１３）を含むことを特徴とする請求項５に記載の移動体通信装置（１）。
【請求項７】
ユーザが前記国特有のデータを入力するように動作可能なユーザ入力デバイス（１２）を備えることを特徴とする請求項１乃至６のいずれか１項に記載の移動体通信装置（１）。
【請求項８】
前記判定されたテレビジョン標準規格に従ってテレビジョン信号をビデオ信号に変換するように動作可能なテレビジョン信号変換デバイス（３）を備えることを特徴とする請求項１乃至７のいずれか１項に記載の移動体通信装置（１）。
【請求項９】
前記テレビジョン信号変換デバイス（３）は、ＰＡＬ、ＮＴＳＣ、及びＳＥＣＡＭのテレビジョン標準規格を処理するように動作可能であることを特徴とする請求項８に記載の移動体通信装置（１）。
【請求項１０】
テレビジョン信号を受信するように動作可能なテレビジョン信号受信デバイス（２）を備えることを特徴とする請求項８又は９に記載の移動体通信装置（１）。
【請求項１１】
前記テレビジョン信号受信デバイス（２）は、テレビジョン信号を前記テレビジョン信号変換デバイス（３）に提供するように動作可能なストレージデバイス（２１）を含むことを特徴とする請求項１０に記載の移動体通信装置（１）。
【請求項１２】
ビデオ信号を出力するように動作可能なビデオ信号出力デバイス（４）を備えることを特徴とする請求項８乃至１１のいずれか１項に記載の移動体通信装置（１）。
【国際調査報告】
2009530927.tif 000008
2009530927.tif 000009
2009530927.tif 000010